(57)【要約】  当該機器操作用のショートカットキーを画面上に表示し、入力音声の認識結果で画面表示のショートカットキーの表示を再配置する情報処理機器であり、認識辞書データベースメモリを参照し、入力音声の認識結果のテキストを出力する音声認識処理手段と、当該機器の機能とテキストとの対応関係が記載された変換データベースメモリを参照し、認識結果テキストを当該機器の機能にマッピングし、前記機能へのショートカットキーを表示画面に表示するショートカットキー再配置手段とを備える。
2012160843.tif 000002
【特許請求の範囲】
【請求項１】
当該機器を操作するためのショートカットキーを画面上に表示し、入力された音声の音声認識結果に従い画面上に表示されたショートカットキーの表示を再配置する情報機器であって、
音声を入力とし、認識辞書データベースメモリを参照し、認識結果としてのテキストを出力する音声認識処理手段と
音声認識処理手段の認識結果であるテキストを入力し、当該機器の機能と認識結果としてのテキストとの対応関係が記載されている変換データベースメモリを参照し、認識結果のテキストを当該機器の機能にマッピングし、前記機能へのショートカットキーを表示画面に表示するショートカットキー再配置手段と
を備えた情報機器。
【請求項２】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴メモリと、
画面上に表示されたショートカットキーを表示から消去するまでの時間である消去時間を操作履歴メモリに記憶されているショートカットキー選択回数を基に算出する消去時間決定手段と、
ショートカットキーの表示時間が前記消去時間を上回った場合に、表示手段により画面表示されているショートカットキーを消去するショートカットキー消去判定手段と
を備えた請求項１記載の情報機器。
【請求項３】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー表示回数を含む当該機器のショートカットキーの表示履歴を記憶した表示履歴データベースメモリと、
画面上に表示されたショートカットキーを表示から消去するまでの時間である消去時間を表示履歴メモリに記憶されているショートカットキー表示回数を基に算出する消去時間決定手段と、
ショートカットキーの表示時間が前記消去時間を上回った場合に、表示手段により画面表示されているショートカットキーを消去するショートカットキー消去判定手段と
を備えた請求項１記載の情報機器。
【請求項４】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
音声認識処理手段の認識結果のテキストと認識結果尤度を記憶している認識結果データベースメモリと、
画面上に表示されたショートカットキーを表示から消去するまでの時間である消去時間を認識結果メモリに記憶している認識結果尤度を基に算出する消去時間決定手段と、
ショートカットキーの表示時間が前記消去時間を上回った場合に、表示手段により画面表示されているショートカットキーを消去するショートカットキー消去判定手段と
を備えた請求項１記載の情報機器。
【請求項５】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
音声認識処理手段の認識結果のテキスト認識回数を記憶している認識結果データベースメモリと、
画面上に表示されたショートカットキーを表示から消去するまでの時間である消去時間を認識結果メモリに記憶している認識回数を基に算出する消去時間決定手段と、
ショートカットキーの表示時間が前記消去時間を上回った場合に、表示手段により画面表示されているショートカットキーを消去するショートカットキー消去判定手段と
を備えた請求項１記載の情報機器。
【請求項６】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・消去時間・状況持続時間の対応を記述したデータベースを記憶する現状データベースメモリと、
画面上に表示されたショートカットキーを表示から消去するまでの時間である消去時間を現在時刻を基に現状データベースメモリを参照し、算出する消去時間決定手段と、
ショートカットキーの表示時間が前記消去時間を上回った場合に、表示手段により画面表示されているショートカットキーを消去するショートカットキー消去判定手段と
を備えた請求項１記載の情報機器。
【請求項７】
前記ショートカットキー再配置手段は
音声認識処理手段の認識結果の入力テキストを、変換データベースメモリを参照して、当該機器の機能にマッピングし、前記機能へのショートカットキーを表示画面に表示する表示手段と、
機能名称間の遷移可能性スコアを記述したデータベースを記憶する操作認識履歴データベースメモリと、
ショートカットキーを表示から消去するまでの時間である消去時間を操作認識履歴データベースメモリに記憶している機能名称間の遷移可能性スコアを基に算出する消去時間決定手段と、
画面上に表示されたショートカットキーの表示時間が消去時間を上回った場合に、表示手段により画面表示されているショートカットキーを消去するショートカットキー消去判定手段と
を備えた請求項１記載の情報機器。
【請求項８】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴データベースメモリと、
操作履歴データベースメモリに記憶している操作回数から機能の重要度を求める機能重要度算出手段と、
機能名称・機能重要度・表示順の対応を記述したデータベースを記憶する表示順データベースメモリと、
機能の重要度から、表示順データベースメモリを参照し、表示手段により画面に表示するショートカットキーの表示順を決定するショートカットキー表示順決定手段と
を備えた請求項１記載の情報機器。
【請求項９】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴データベースメモリと、
操作履歴データベースメモリに記憶している選択回数から機能の重要度を求める機能重要度算出手段と、
機能重要度と表示方法を記述した表示方法データベースを記憶する表示方法データベースメモリと、
機能の重要度から、表示方法データベースメモリを参照し、表示手段により画面に表示するショートカットキーの表示方法を決定するショートカットキー表示方法決定手段と
を備えた請求項１記載の情報機器。
【請求項１０】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴データベースメモリと、
操作履歴データベースメモリに記憶している選択回数から機能の重要度を求める機能重要度算出手段と、
機能重要度と表示方法を記述した表示方法データベースを記憶する表示方法データベースメモリと、
機能名称・機能重要度・表示順の対応を記述したデータベースを記憶する表示順データベースメモリと、
機能重要度算出手段が算出した機能の重要度から、表示順データベースメモリ及び表示方法データベースメモリを参照し、ショートカットキーを表示する順番であるショートカットキー表示順およびショートカットキーの表示方法を決定するショートカットキー表示順及び表示方法決定手段と
を備えた請求項１記載の情報機器。
【請求項１１】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・表示順・表示限界数の対応を記述したデータベースを記憶する表示キーデータベースメモリと、
表示キーデータベースメモリに記憶している機能名称と表示順に、新たに得た機能名称の追加・表示順の更新を行い、表示限界数に応じて表示手段により画面に表示するショートカットキーの表示順を決定するショートカットキー消去判定手段と
を備えた請求項１記載の情報機器。
【請求項１２】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・表示順・関連情報・関連情報の限界値の対応を記述したデータベースを記憶する表示キー関連情報データベースメモリと、
表示キー関連情報データベースメモリに記憶している表示ショートカットキーに関連した情報を参照して機能名称の追加・表示順の更新を行い、関連情報の限界値に応じて表示手段により画面に表示するショートカットキーの表示順を決定するショートカットキー消去判定手段と
を備えた請求項１記載の情報機器。
【請求項１３】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・表示順・比較機能名称・階層情報の対応を記述したデータベースを記憶する機能階層データベースメモリと、
機能階層データベースメモリに記憶している機能名称間の階層情報を参照して機能名称の追加・表示順の更新を行い、表示手段により画面に表示するショートカットキーの表示順を決定するショートカットキー消去判定手段と
を備えた請求項１記載の情報機器。
【発明の詳細な説明】
【技術分野】
【０００１】
この発明は、画面上に表示された情報機器の機能を操作するショートカットキーをユーザの入力音声に従い再配置する情報機器に関する。
【背景技術】
【０００２】
画面操作と音声操作とを有するカーナビ等のマルチモーダルの情報機器が開発されている。画面操作は、画面の遷移関係が機器の特定の機能の階層構造に沿って作成されている場合があり、このように作成されている場合、操作を進めることでユーザの所望の機能に徐々に近づき実行することができる。ただし、１回の画面遷移につき１回の画面操作を行う必要があり、機能によっては実行に何回も操作が必要になり不便である。
一方、音声操作はコマンドによらず１回の発声でユーザの所望機能の実行が可能であり、画面操作の不便さを補うことが可能である。しかし、誤発声・誤認識によりユーザの所望の機能とは異なる機能を実行する場合がある。
このような情報機器に用いられる音声認識装置は、音声認識処理により得られた語彙から、機能に写像・実行、あるいは複数の機能候補がある場合は機能候補のリストを表示する装置である。音声認識装置は音声認識の分野で利用されており、様々な語彙で機器を操作するのに有効な装置である。
音声認識装置は、音声認識で認識したユーザが発声した音響的・言語的に最も確からしい語彙に基づいて、機能の選出を行っていた（例えば、特許文献１）。
さらに、最も確からしい語彙に基づいて、機能と関連語句情報が関連付けられた変換データベースを用いて、以下の式（１）に示すように、最も確からしい機能の選出を行っていた（例えば、特許文献２）。【０００３】
【数１】
2012160843.tif 000003
【０００４】
なお、式（１）において、Ｃは機能、Ｘは入力音声、Ｐ（Ｃ）は機能ごとの事前に判明している出現確率、Ｐ（Ｘ｜Ｃ）は事前の学習された確率モデルに基づく入力音声の尤度である。ａｒｇｍａｘは要素の中で最大の値の要素を返す関数として与えられるものである。
【先行技術文献】
【特許文献】
【０００５】
【特許文献１】特開平９‐５０２９１号公報
【特許文献２】ＷＯ２００７／１１４２２６号公報
【発明の概要】
【発明が解決しようとする課題】
【０００６】
画面操作と音声操作とを有する情報機器に用いられる音声認識装置は、機能の選出を上記式（１）に基づいて行い、尤度Ｐ（Ｘ|Ｃ） １位の機能を実行するか、尤度上位の複数の機能候補を提示してユーザに選択させる。そもそも誤認識結果をもとに選出した機能を実行あるいは提示する場合、ユーザの発声内容とは全く異なる機能を実行・提示するため、ユーザを混乱させる場合があった。また、誤認識時にコマンドを実行・提示してしまうと発声前の状態に戻るのに手間がかかる。これは特に機能が複雑になった場合に起きる。【０００７】
さらに、誤発声の場合に手修正で修正を行うことを考慮して装置が作られていない。そのため誤発声した場合、機能が実行するか複数の機能候補が提示してしまい、次の発声を行うために、実行した機能のキャンセル処理などを行う必要があり、発声前の状態に戻るには手間がかかるという問題点があった。さらに、機能は装置付属のマニュアルを見なければ学習できない。また、学習しづらいという問題点があった。【０００８】
この発明は上記のような問題点を解決するためになされたもので、機能へのショートカットキーを再配置し、最終的な意思決定は例えば、ユーザに画面操作などのより確実な操作をしてもらい、発声に対してどの機能を実行したか明示することで、ユーザの混乱を防ぐことを目的とする。また、誤発声した場合、次の発声を受け付けるための画面操作による修正作業の発生を未然に防ぐことを目的とする。そして、システムの機能強制実行による音声操作の試行の中断なしで、短時間・大量の音声操作の試行を可能にすることで、音声操作方法の高い学習効果の提供を目的とする。
【課題を解決するための手段】
【０００９】
この発明に係る情報機器は、
当該機器を操作するためのショートカットキーを画面上に表示し、入力された音声の音声認識結果に従い画面上に表示されたショートカットキーの表示を再配置する情報機器であって、
音声を入力とし、認識辞書データベースメモリを参照し、認識結果としてのテキストを出力する音声認識処理手段と
音声認識処理手段の認識結果であるテキストを入力し、当該機器の機能と認識結果としてのテキストとの対応関係が記載されている変換データベースメモリを参照し、認識結果のテキストを当該機器の機能にマッピングし、前記機能へのショートカットキーを表示画面に表示するショートカットキー再配置手段とを備えるものである。
【発明の効果】
【００１０】
音声を入力し、音声認識処理手段で認識されたテキストと、該機器の機能とを変換データベースメモリを参照してマッピングし、ショートカットキー再配置手段により前記機能へのショートカットキーを表示画面に表示することができ、深い階層へボタン操作で遷移することなく機能を実行できるという効果がある。
また、音声操作での機能実行と比較して、表示画面に表示されたショートカットキーを最終的にユーザが押下することで機能を実行するため、誤認識などでユーザの意図に沿わない機能の実行も防ぐ効果がある。
【図面の簡単な説明】
【００１１】
【図１】マルチモーダル情報機器における機能関係の一例を示す操作画面の図である。
【図２】この発明の実施の形態１による情報機器を示す構成図である。
【図３】実施の形態１のショートカットキー再配置手段の構成図である。
【図４】実施の形態１によるショートカットキーの再配置前及び再配置後の表示画面の説明図である。
【図５】実施の形態１の情報機器の動作を示すフローチャートである。
【図６】実施の形態１の変換データベースメモリ５の内容説明図である。
【図７】実施の形態１のキー変換データベース７の説明図である。
【図８】この発明の実施の形態２によるショートカットキー再配置手段を示す構成図である。
【図９】実施の形態２の情報機器の動作を示すフローチャートである。
【図１０】実施の形態２の操作履歴データベースメモリの説明図である。
【図１１】実施の形態２の消去時間データベースメモリの説明図である。
【図１２】この発明の実施の形態３によるショートカットキー再配置手段を示す構成図である。
【図１３】実施の形態３の情報機器の動作を示すフローチャートである。
【図１４】実施の形態３における表示履歴データベースメモリの説明図である。
【図１５】この発明の実施の形態４によるショートカットキー再配置手段を示す構成図である。
【図１６】実施の形態４の情報機器の動作を示すフローチャートである。
【図１７】実施の形態４における操作履歴データベーの説明図である。
【図１８】この発明の実施の形態５によるショートカットキー再配置手段を示す構成図である。
【図１９】実施の形態５の情報機器の動作を示すフローチャートである。
【図２０】実施の形態５のにおける認識履歴データベースメモリの説明図である。
【図２１】この発明の実施の形態６によるショートカットキー再配置手段を示す構成図である。
【図２２】実施の形態６の音声認識装置の動作を示すフローチャートである。
【図２３】実施の形態６における現状データベースメモリの例を示す説明図である。
【図２４】この発明の実施の形態７によるショートカットキー再配置手段を示す構成図である。
【図２５】実施の形態７の情報機器の動作を示すフローチャートである。
【図２６】実施の形態７における操作認識履歴データベースメモリの内容説明図である。
【図２７】この発明の実施の形態８によるショートカットキー再配置手段を示す構成図である。
【図２８】実施の形態８の情報機器の動作を示すフローチャートである。
【図２９】実施の形態８における表示順データベースメモリ内容例の説明図である。
【図３０】実施の形態８によるショートカットキーの再配置前及び再配置後並びに表示順序変更後の表示画面の説明図である。
【図３１】この発明の実施の形態９によるショートカットキー再配置手段を示す構成図である。
【図３２】実施の形態９の情報機器の動作を示すフローチャートである。
【図３３】実施の形態９における表示方法データベースメモリ内容例の説明図である。
【図３４】実施の形態９によるショートカットキーの再配置前及び再配置後並びに表示方法変更後の表示画面の説明図である。
【図３５】この発明の実施の形態１０によるショートカットキー再配置手段を示す構成図である。
【図３６】実施の形態１０の情報機器の動作を示すフローチャートである。
【図３７】実施の形態１０によるショートカットキーの再配置前及び再配置後並びに表示順序と表示方法変更後の表示画面の説明図である。
【図３８】この発明の実施の形態１１によるショートカットキー再配置手段を示す構成図である。
【図３９】実施の形態１１の情報機器の動作を示すフローチャートである。
【図４０】実施の形態１１における表示キーデータデータベースメモリ内容例の説明図である。
【図４１】実施の形態１１によるショートカットキーの再配置前及び再配置後並びに表示方法変更後の表示画面の説明図である。
【図４２】この発明の実施の形態１２によるショートカットキー再配置手段を示す構成図である。
【図４３】実施の形態１２の情報機器の動作を示すフローチャートである。
【図４４】実施の形態１２における表示キー関連情報データベースメモリ内容例の説明図である。
【図４５】この発明の実施の形態１３によるショートカットキー再配置手段を示す構成図である。
【図４６】実施の形態１３の情報機器の動作を示すフローチャートである。
【図４７】実施の形態１３における階層機能データベースメモリ内容例の説明図である。
【発明を実施するための形態】
【００１２】
この発明では、誤認識・誤発声が生じた場合の修正作業の発生を未然に防ぐために、ショートカットキー再配置を行うことを特徴とする。
図１は、情報機器の機能関係の一例を示す操作画面の図である。画面操作に基づく機能の実行手順は、まず、操作画面を提示し、ユーザが画面中から選択する操作を繰り返すことで画面遷移して最終的に所望のコマンドを実行するものである。下位ノードを持つ中間ノードは、機能分類を表す選択画面を表し、最下層のノードは特定の機能を表す。ユーザは、初期ノードＦ０から画面操作により中間ノードＦ１０・Ｆ１１・Ｆ２１・Ｆ３１を経て最下層のノードＦ２２〜Ｆ２６、Ｆ４１、Ｆ４２に対応付けられた特定の機能を実行できる。
一方、音声操作では直接機能に相当する発話を行うことで、初期ノードＦ０から末端の機能をショートカットし実行できる。
【００１３】
実施の形態１．
図２はこの発明の実施の形態１による情報機器の発明の主要部を示す構成図である。
図２において、この発明における情報機器は、音声認識処理手段１、認識辞書データベースメモリ２、およびショートカットキー再配置手段３からなる。
音声認識処理手段１は、ユーザによって発声される音声を入力し、この音声に対してＡ／Ｄ変換を行って音声データに変換し、この音声データに対して認識辞書データベースメモリ２を参照して語彙の認識を行い、認識結果としてテキストと尤度を出力する手段である。この際、音声認識処理手段１は最も確からしい語彙を第１候補とし、予想され得る語彙を例えば第５候補まで求めて確からしい順に並べた候補リストを認識結果として例えば、特開昭６０−１６６９９７号公報に記載のように出力する。
認識辞書データベースメモリ２は、音声認識処理手段１での語彙の認識と認識結果の尤度を算出する際に用いる音響モデルや言語モデルのデータベースを記憶するメモリである。
【００１４】
ショートカットキー再配置手段３は、図３のように、機能変換手段４、変換データベースメモリ５、表示手段６、キー変換データベースメモリ７とから構成される。機能変換手段４は、音声認識処理手段１から出力される認識結果を入力し、変換データベースメモリ５を参照し、変換データベースメモリ５記載の情報機器の機能毎の機能尤度を算出し、この中でもっとも確からしい機能名称を出力する手段である。表示手段６は機能変換手段４からの機能名称を入力とし、キー変換データベースメモリ７を参照し、機能名称に対応するショートカットキーである再配置ショートカットキーを出力する手段である。この際、ショートカットキー再配置手段３は最も確からしい機能へのショートカットキーを第１候補として予想され得る機能へのショートカットキーを再配置ショートカットキーとして出力する。
【００１５】
変換データベースメモリ５は、音声認識結果から機能名称を決定するための機能名称・関連語句の対応を記述したデータベースを記憶するメモリである。すなわち、変換データベースメモリ５は、変換情報である機能名称に対する機能名称関連語彙を複数記憶するテーブル構造に構築されている。
キー変換データベースメモリ７は、機能名称から再配置対象のショートカットキーを決定するための機能名称・ショートカットキーの対応を記述したデータベースを記憶するメモリである。すなわち、キー変換データベースメモリ７は、機能名称に対する変換情報である再配置対象ショートカットキーを記憶するテーブル構造に構築されている。
【００１６】
出力された再配置ショートカットキーは、例えば図４（Ｂ）のように提示する。なお、図４（Ｂ）では画面右上に内容を表すアイコンとして上から順に「コンビニを検索」に対応する[コンビニ]アイコンと「ファミレスを検索」に対応する[ファミレス]アイコンを表示しているが、表示画面上であればどこでもよい。アイコンとして表示する情報も直感的にユーザが理解できるような絵でもよい。また、アイコンを表示するタイミングは再配置直後以外に、ユーザが表示して欲しいタイミングで、アイコンを表示させるために割り当てられたボタンなどの押下といった特定の操作直後でもよい。ユーザは表示画面上に表示された機能のアイコンを押下することで情報機器に機能を実行させる。
なお、上記説明で「」内は機能名称、[ ]内はショートカットキーの表示文字とする。
また、図４（Ａ）はショートカットキー再配置前の表示画面であり、参考までに示す。
【００１７】
次に動作について説明する。
図５は、実施の形態１の情報機器の動作を示すフローチャートである。
音声認識処理手段１は、一般的に話者であるユーザの近傍に設置されるか、またはユーザが保持して、ユーザの音声を入力し、この入力音声に対して、例えば１６ｋＨｚサンプリング、１６ビットでＡ／Ｄ変換を行う内蔵の音声入力手段により音声データを出力する（ステップＳＴ１０１）。
音声認識処理手段１は、さらに内蔵の音声入力手段の出力である音声データを入力とし、公知の方法と同様に音声区間を判定し、判定した音声区間の音声データに対して、認識辞書データベースメモリ２の音響モデル・言語モデルを参照し、マッチングをとり、最も確からしい語句を認識結果として出力する（ステップＳＴ１０２）。
【００１８】
ショートカットキー再配置手段３は、音声認識処理手段１の出力である音声認識結果を入力とし、再配置ショートカットキー及び尤度を出力する（ステップＳＴ１０３）。
図６は、実施の形態１のショートカットキー再配置手段３の内部処理である機能変換手段４で出力する機能名称を決定する指標となる尤度を算出する際に用いる変換データベースメモリ５の内容説明図である。以下、図６に基づいてショートカットキー再配置手段３の動作を詳細に説明する。
【００１９】
図６において、例えば、音声認識処理手段１に入力されるユーザの発声が“コンビニエンスストア”だった場合、認識辞書データベースメモリ２の認識辞書に記載されている音響モデルや言語モデルを用いて算出された確率値を尤度とすると、「コンビニを検索」が尤度１０、「ファミレスを検索」が尤度０となり、「コンビニを検索」が最尤な機能名称として出力される。なお、上記“”内は認識結果とする。
【００２０】
図７は、実施の形態１のショートカットキー再配置手段３の内部処理である表示手段６で再配置するショートカットキーの表示ファイルを決定する際に用いるキー変換データベースメモリ７に保管された変換データベースの例である。以下、図７に基づいてショートカットキー再配置手段３の動作を詳細に説明する。
図７において、例えば、表示手段６の入力である機能名称が「コンビニを検索」だった場合、対応ショートカットキーファイル名は０００００００１．ｊｐｇなので、このファイル（例では、図７の下部に示される四角枠内にコンビニと記載のアイコン）をショートカットキーとして表示画面上に表示・出力する。
【００２１】
実施の形態１によれば、以上のような手段及びメモリを設けることで、ショートカットキーが表示画面上に配置されることにより、深い階層へボタン操作で遷移することなく機能を実行できるという効果がある。
また、音声操作での機能実行と比較して、ショートカットキーを最終的にユーザが押下することで機能を実行するため、誤認識などでユーザの意図に沿わない機能の実行も防ぐ効果がある。
【００２２】
実施の形態２．
実施の形態２は、表示画面上に表示されたショートカットキーをそのショートカットキー毎に消去するまでの時間である消去時間をショートカットキーの選択回数を参照にして算出し、ショートカットキーの出現時間が消去時間に達したらショートカットキーを消去するようにしたものである。
図８はこの発明の実施の形態２によるショートカットキー再配置手段３を示す構成図である。情報機器の発明の主要部全体の構成は図２に示す通りであり、実施の形態１とはショートカットキー再配置手段３の内部構成のみ異なる。
図８において、ショートカットキー再配置手段３は、機能変換手段４、変換データベースメモリ５、消去時間決定手段８、操作履歴データベースメモリ９、再配置ショートカットキー消去判定手段１０、消去時間データベースメモリ１１、表示手段６、キー変換データベースメモリ７からなる。
機能変換手段４、変換データベースメモリ５、表示手段６、キー変換データベースメモリ７は実施の形態１と同じものであるので説明を省く。
消去時間決定手段８は、操作履歴データベースメモリ９を参照し、機能名称を入力し、以下の式（２）のように、機能名称が選択された回数（以下選択回数と称す）ＣＣから消去時間ＤＴｎを算出し、出力する。
【００２３】
【数２】
2012160843.tif 000004
【００２４】
操作履歴データベースメモリ９は、機能名称から消去時間を決定するための機能名称・選択回数の対応を記述したデータベースを記憶するメモリである。すなわち、操作履歴データベースメモリ９は、機能名称・選択回数の対応からなる変換情報を複数記憶するテーブル構造に構築されている。
再配置ショートカットキー消去判定手段１０は、機能名称及び消去時間決定手段８で算出した消去時間ＤＴｎを入力し、表示機能名称を出力する手段である。
消去時間データベースメモリ１１は、機能名称と消去時間から表示機能名称を決定するための機能名称・表示時間・消去時間の対応を記述したデータベースを記憶するメモリである。すなわち、消去時間データベースメモリ１１は、変換情報を複数記憶するテーブル構造に構築されている。
【００２５】
次に動作について説明する。
図９は、実施の形態２の情報機器の動作を示すフローチャートである。
図中のステップＳＴ１０１〜ＳＴ１０３の処理は、実施の形態１におけるＳＴ１０１〜ＳＴ１０３の処理と同様の内容であることを示し、説明は省略する。
消去時間決定手段８は、機能変換手段４の出力である機能名称を入力とし、上記のように式（２）を用いて消去時間ＤＴｎを算出、出力する（ステップＳＴ２０１）。
【００２６】
図１０は、実施の形態２の消去時間決定手段８で消去時間ＤＴｎを算出する際に用いる操作履歴データベース９の説明図である。以下、図１０に基づいて消去時間決定手段８の動作を詳細に説明する。
図１０において、例えば、消去時間決定手段８に入力される機能名称が「コンビニを検索」だった場合、選択された回数ＣＣは１５回であり、初期消去時間ＤＴ０は２ｓｅｃ、人間の判断可能な時間表示されるように調整するパラメータである表示時間正規化パラメータＨＰは１／１０とすると、式（２）より、消去時間ＤＴｎが３ｓｅｃで出力される。
【００２７】
再配置ショートカットキー消去判定手段１０は、消去時間決定手段８の出力である機能名称及び消去時間を入力とし、表示時間が消去時間以上になった場合、対象のショートカットキーを再配置結果から削除し、削除しなかった機能名称（表示機能名称）を出力する（ステップＳＴ２０２）。
図１１は、再配置ショートカットキー消去判定手段１０で表示機能名称を決定する際に用いる消去時間データベースメモリ１１の説明図である。以下、図１１に基づいて再配置ショートカットキー消去判定手段１０の動作を詳細に説明する。
図１１において、例えば、再配置ショートカットキー消去判定手段１０に入力される機能名称が「コンビニを検索」で消去時間が３ｓｅｃの場合、消去時間データベースメモリ１１を参照し、「コンビニを検索」に対応する表示している時間が３ｓｅｃで消去時間以上であるため、消去時間データベースメモリ１１に記憶されている表示している時間が消去時間以内の機能名称である「ファミレスを検索」のみ表示機能名称として出力する。
【００２８】
実施の形態２によれば、消去時間決定手段８及び再配置ショートカットキー消去判定手段１０及び操作履歴データベースメモリ９及び消去時間データベースメモリ１１を設けることで、限られた表示画面のスペースに選択回数の多いショートカットキー以外は短時間で消去されやすくなるので、ユーザがショートカットキーを選択しやすくなるという効果がある。
【００２９】
実施の形態３．
実施の形態３は、表示画面上に表示されたショートカットキーをそのショートカットキー毎に消去するまでの時間である消去時間をショートカットキーの表示回数を参照して算出し、ショートカットキーの出現時間が消去時間に達したらショートカットキーを消去するようにしたものである。
図１２はこの発明の実施の形態３によるショートカットキー再配置手段３を示す構成図である。情報機器の発明の主要部全体の構成は図２に示す通りであり、実施の形態１とはショートカットキー再配置手段３の内部構成のみ異なる。
図１２において、ショートカットキー再配置手段３は、機能変換手段４、変換データベースメモリ５、消去時間決定手段８ａ、表示履歴データベースメモリ１２、再配置ショートカットキー消去判定手段１０、消去時間データベースメモリ１１、表示手段６、キー変換データベースメモリ７からなる。
機能変換手段４、変換データベースメモリ５、表示手段６、キー変換データベースメモリ７は実施の形態１と同じものであり、再配置ショートカットキー消去判定手段１０、消去時間データベースメモリ１１は実施の形態２と同じものであるので説明を省く。
消去時間決定手段８ａは、機能変換手段４から機能名称を入力し、表示履歴データベースメモリ１２を参照して、以下の式（３）のように、選択回数ＣＣとショートカットキーの表示回数（以下表示回数と称す）ＡＣから消去時間ＤＴｎを算出し、出力する。
【００３０】
【数３】
2012160843.tif 000005
【００３１】
表示履歴データベースメモリ１２は、機能名称から消去時間を決定するための機能名称・表示回数・選択回数の対応を記述したデータベースを記憶するメモリである。すなわち、表示履歴データベースメモリ１２は、変換情報を複数記憶するテーブル構造に構築されている。
【００３２】
次に動作について説明する。
図１３は、実施の形態３の情報機器の動作を示すフローチャートである。
図中のステップＳＴ１０１〜ＳＴ１０３、ＳＴ２０２の処理は、実施の形態２におけるＳＴ１０１〜ＳＴ１０３、ＳＴ２０２の処理と同様の内容であることを示し、説明を省略する。
消去時間決定手段８ａは、機能変換手段４の出力である機能名称を入力とし、上記のように式（３）を用いて消去時間を算出、出力する（ステップＳＴ３０１）。
【００３３】
図１４は、実施の形態３の消去時間決定手段８ａで消去時間を算出する際に用いる表示履歴データベース１２の説明図である。以下、図１４に基づいて消去時間決定手段８ａの動作を詳細に説明する。
図１４において、例えば、消去時間決定手段８ａに入力される機能名称が「コンビニを検索」だった場合、表示回数ＡＣは１５回、選択回数ＣＣは１５回であり、初期消去時間ＤＴ０は２ｓｅｃ、人間の判断可能な時間表示されるように調整するパラメータである表示時間正規化パラメータＨＰは１とすると、式（３）より、消去時間ＤＴｎが２ｓｅｃで出力される。
【００３４】
実施の形態３によれば、消去時間決定手段８ａ及び表示履歴データベースメモリ１２を設けることで、限られた表示画面のスペースに表示回数に対して選択回数が多いショートカットキー以外は短時間で消去されやすくなるので、ユーザがショートカットキーを選択しやすくなるという効果がある。
【００３５】
実施の形態４．
実施の形態４は、表示画面上に表示されたショートカットキーをそのショートカットキー毎に消去するまでの時間である消去時間を認識結果尤度を参照して算出し、ショートカットキーの出現時間が消去時間に達したらショートカットキーを消去するようにしたものである。
図１５はこの発明の実施の形態４によるショートカットキー再配置手段３を示す構成図である。情報機器の発明の主要部全体の構成は図２に示す通りであり、実施の形態１とはショートカットキー再配置手段３の内部構成のみ異なる。
図１５において、ショートカットキー再配置手段３は、機能変換手段４、変換データベースメモリ５、消去時間決定手段８ｂ、認識結果データベースメモリ１３、再配置ショートカットキー消去判定手段１０、消去時間データベースメモリ１１、表示手段６、キー変換データベースメモリ７からなる。
機能変換手段４、変換データベースメモリ５、表示手段６、キー変換データベースメモリ７は実施の形態１と同じものであるので説明を省く。再配置ショートカットキー消去判定手段１０、消去時間データベースメモリ１１は実施の形態２と同じものであるので同じく説明を省く。
消去時間決定手段８ｂは、認識結果データベースメモリ１３を参照し、機能名称を入力し、以下の式（４）のように、認識結果尤度ＲＬから消去時間ＤＴｎを算出し、出力する。
【００３６】
【数４】
2012160843.tif 000006
【００３７】
認識結果データベースメモリ１３は、機能名称から消去時間を決定するための機能名称・認識結果尤度の対応を記述したデータベースを記憶するメモリである。すなわち、認識結果データベースメモリ１３は、変換情報を複数記憶するテーブル構造に構築されている。
【００３８】
次に動作について説明する。
図１６は、実施の形態４の情報機器の動作を示すフローチャートである。
図中のステップＳＴ１０１〜ＳＴ１０３、ＳＴ２０２の処理は、実施の形態２におけるＳＴ１０１〜ＳＴ１０３、ＳＴ２０２の処理と同様の内容であることを示し、説明を省略する。
消去時間決定手段８ｂは、機能変換手段４の出力である機能名称を入力とし、上記のように式（４）を用いて消去時間ＤＴｎを算出、出力する（ステップＳＴ４０１）。
図１７は、実施の形態４の消去時間決定手段８ｂで消去時間ＤＴｎを算出する際に用いる認識結果データベースメモリ１３の内容例を示す説明図である。以下、図１７に基づいて消去時間決定手段８ｂの動作を詳細に説明する。
図１７において、例えば、消去時間決定手段８ｂに入力される機能名称が「コンビニを検索」だった場合、認識結果尤度ＲＬは５０、初期消去時間ＤＴ０を２ｓｅｃ、人間の判断可能な時間表示されるように調整するパラメータである表示時間正規化パラメータＨＰは１／２５とすると、式（４）より、消去時間ＤＴｎが４ｓｅｃで出力される。
【００３９】
実施の形態４によれば、消去時間決定手段８ｂ及び認識結果データベースメモリ１３を設けることで、限られた表示画面のスペースに認識尤度の高いショートカットキー以外は短時間で消去されやすくなるので、ユーザがショートカットキーを選択しやすくなるという効果がある。
【００４０】
実施の形態５．
実施の形態５は、表示画面上に表示されたショートカットキーをそのショートカットキー毎に消去するまでの時間である消去時間を認識回数を参照して算出し、ショートカットキーの出現時間が消去時間に達したらショートカットキーを消去するようにしたものである。
図１８はこの発明の実施の形態５によるショートカットキー再配置手段３を示す構成図である。情報機器の発明の主要部全体の構成は図２に示す通りであり、実施の形態１とはショートカットキー再配置手段３の内部構成のみ異なる。
図１８において、ショートカットキー再配置手段３は、機能変換手段４、変換データベースメモリ５、消去時間決定手段８ｃ、認識履歴データベースメモリ１４、再配置ショートカットキー消去判定手段１０、消去時間データベースメモリ１１、表示手段６、キー変換データベースメモリ７からなる。
機能変換手段４、変換データベースメモリ５、表示手段６、キー変換データベースメモリ７は実施の形態１と同じものであるので説明を省く。再配置ショートカットキー消去判定手段１０、消去時間データベースメモリ１１は実施の形態２と同じものであるので同様に説明を省く。
消去時間決定手段８ｃは、認識履歴データベースメモリ１４を参照し、機能名称を入力し、以下の式（５）のように、認識回数ＲＣから消去時間ＤＴｎを算出し、出力する。
【００４１】
【数５】
2012160843.tif 000007
【００４２】
認識履歴データベースメモリ１４は、機能名称から消去時間を決定するための機能名称・認識回数の対応を記述したデータベースを記憶するメモリである。すなわち、認識履歴データベースメモリ１４は、変換情報を複数記憶するテーブル構造に構築されている。
【００４３】
次に動作について説明する。
図１９は、実施の形態５の情報機器の動作を示すフローチャートである。
図中のステップＳＴ１０１〜ＳＴ１０３、ＳＴ２０２の処理は、実施の形態２におけるＳＴ１０１〜ＳＴ１０３、ＳＴ２０２の処理と同様の内容であることを示し、説明を省略する。
消去時間決定手段８ｃは、機能変換手段４の出力である機能名称を入力とし、上記のように式（５）を用いて消去時間ＤＴｎを算出、出力する（ステップＳＴ５０１）。
【００４４】
図２０は、実施の形態５の消去時間決定手段８ｃで消去時間を算出する際に用いる認識履歴データベースメモリ１４の内容例を示す説明図である。以下、図２０に基づいて消去時間決定手段８ｃの動作を詳細に説明する。
図２０において、例えば、消去時間決定手段８ｃに入力される機能名称が「コンビニを検索」だった場合、認識回数ＲＣは１５、初期消去時間ＤＴ０を２ｓｅｃ、人間の判断可能な時間表示されるように調整するパラメータである表示時間正規化パラメータＨＰは１／１５とすると、式（５）より、消去時間ＤＴｎが２ｓｅｃで出力される。
【００４５】
実施の形態５によれば、消去時間決定手段８ｃ及び認識履歴データベースメモリ１４を設けることで、限られた表示画面のスペースに認識回数の多いショートカットキー以外は短時間で消去されやすくなるので、ユーザがショートカットキーを選択しやすくなるという効果がある。
【００４６】
実施の形態６．
実施の形態６は、表示画面上に表示されたショートカットキーをそのショートカットキー毎に消去するまでの時間である消去時間をその状態の状況持続時間を参照し算出し、ショートカットキーの表示画面への出現時間が消去時間に達したらショートカットキーを消去するようにしたものである。
図２１はこの発明の実施の形態６によるショートカットキー再配置手段３を示す構成図である。情報機器の発明の主要部全体の構成は図２に示す通りであり、実施の形態１とはショートカットキー再配置手段３の内部構成のみ異なる。
図２１において、ショートカットキー再配置手段３は、機能変換手段４、変換データベースメモリ５、消去時間決定手段８ｄ、現状データベースメモリ１６、再配置ショートカットキー消去判定手段１０、消去時間データベースメモリ１１、表示手段６、キー変換データベースメモリ７からなる。
機能変換手段４、変換データベースメモリ５、表示手段６、キー変換データベースメモリ７は実施の形態１と同じものであるので説明を省く。再配置ショートカットキー消去判定手段１０、消去時間データベースメモリ１１は実施の形態２と同じものであるので同様に説明を省く。
消去時間決定手段８ｄは、現状データベースメモリ１６を参照し、機能名称を入力し、消去時間を出力する。
【００４７】
現状データベースメモリ１６は、機能名称から消去時間を決定するための機能名称・消去時間・状況持続時間の対応を記述したデータベースを記憶するメモリである。すなわち、現状データベースメモリ１６は、変換情報を複数記憶するテーブル構造に構築されている。
【００４８】
次に動作について説明する。
図２２は、実施の形態６の情報機器の動作を示すフローチャートである。
図中のステップＳＴ１０１〜ＳＴ１０３、ＳＴ２０２の処理は、実施の形態２におけるＳＴ１０１〜ＳＴ１０３、ＳＴ２０２の処理と同様の内容であることを示し説明を省略する。
消去時間決定手段８ｄは、機能変換手段４の出力である機能名称を入力とし、消去時間を算出、出力する（ステップＳＴ６０１）。
図２３は、実施の形態６の消去時間決定手段８ｄで消去時間を算出する際に用いる現状データベースメモリ１６の内容例を示す説明図である。以下、図２３に基づいて消去時間決定手段８ｄの動作を詳細に説明する。
図２３において、例えば、消去時間決定手段８ｄに入力される機能名称が「コンビニを検索」で、現在時刻が１５:００だった場合、消去時間は３ｓｅｃで出力される。
【００４９】
実施の形態６によれば、消去時間決定手段８ｄ及び現状データベースメモリ１６を設けることで、限られた表示画面のスペースに現在時刻を考慮したショートカットキー以外は短時間で消去されやすくなるので、ユーザがショートカットキーを選択しやすくなるという効果がある。
【００５０】
実施の形態７．
実施の形態７は、表示画面上に表示されたショートカットキーをそのショートカットキー毎に消去するまでの時間である消去時間を選択遷移履歴を参照して算出し、ショートカットキーの出現時間が消去時間に達したらショートカットキーを消去するようにしたものである。
図２４はこの発明の実施の形態７によるショートカットキー再配置手段３を示す構成図である。情報機器の発明の主要部全体の構成は図２に示す通りであり、実施の形態１とはショートカットキー再配置手段３の内部構成のみ異なる。
図２４において、ショートカットキー再配置手段３は、機能変換手段４、変換データベースメモリ５、消去時間決定手段８ｅ、操作認識履歴データベースメモリ９ａ、再配置ショートカットキー消去判定手段１０、消去時間データベースメモリ１１、表示手段６、キー変換データベースメモリ７からなる。
機能変換手段４、変換データベースメモリ５、表示手段６、キー変換データベースメモリ７は実施の形態１と同じものであるので説明を省く。再配置ショートカットキー消去判定手段１０、消去時間データベースメモリ１１は実施の形態２と同じものであるので同様説明を省く。
消去時間決定手段８ｅは、操作認識履歴データベースメモリ９ａを参照し、機能名称を入力し、以下の式（６）のように、選択遷移履歴パラメータＳＰから消去時間ＤＴｎを算出し、出力する。
【００５１】
【数６】
2012160843.tif 000008
【００５２】
操作認識履歴データベースメモリ９ａは、機能名称から消去時間ＤＴｎを決定するための機能名称間の遷移可能性スコアを記述したデータベースを記憶するメモリであり、図２６にそのデータベースの内容例を示す。図２６において、各行１０００には今回の機能名称、各列１０１０にはそれぞれ前回の操作機能名称が記述されており、それぞれに対応した遷移可能性スコアが記述されている。例えば、前回「ファミレスを検索」を選択し、今回「コンビニを検索」を選択する遷移可能性スコアは６である。
【００５３】
次に動作について説明する。
図２５は、実施の形態７の情報機器の動作を示すフローチャートである。
図中のステップＳＴ１０１〜ＳＴ１０３、ＳＴ２０２の処理は、実施の形態２におけるＳＴ１０１〜ＳＴ１０３、ＳＴ２０２の処理と同様の内容であることを示している。
消去時間決定手段８ｅは、機能変換手段４の出力である機能名称を入力とし、消去時間を算出、出力する（ステップＳＴ７０１）。
【００５４】
図２６は、実施の形態７の消去時間決定手段８ｅで消去時間を算出する際に用いる操作認識履歴データベースメモリ９ａの内容説明図である。以下、図２６に基づいて消去時間決定手段８ｅの動作を詳細に説明する。
図２６において、例えば、消去時間決定手段８ｅに以前操作した機能名称が「ファミレスを検索」で、今回入力される機能名称が「コンビニを検索」だった場合、選択遷移履歴パラメータＳＰは６、初期消去時間ＤＴ０は２ｓｅｃ、人間の判断可能な時間表示されるように調整するパラメータである表示時間正規化パラメータＨＰは１／６とすると、式（６）より、消去時間ＤＴｎが２ｓｅｃで出力される。
【００５５】
実施の形態７によれば、消去時間決定手段８ｅ及び操作認識履歴データベースメモリ９ａを設けることで、限られた表示画面のスペースにショートカットキーの過去の操作の前後関係を考慮したショートカットキー以外は短時間で消去されやすくなるので、ユーザがショートカットキーを選択しやすくなるという効果がある。
【００５６】
なお、実施の形態２〜７の消去時間決定手段８、８ａ〜８ｅおよびこの消去時間決定手段８、８ａ〜８ｅにおける消去時間を決定するための算式の基礎となるデータを記憶したデータベースメモリ９、１２〜１４，１６の対応する対となる組を２組以上備え、異なるデータ及び算式で消去時間を算出し、再配置ショートカットキー消去判定手段１０で予め定められた基準（例えば、消去時間が最も短いもの）に基づき、消去時間ＤＴｎを算出し、出力する構成にしても良い。このように構成することにより、より適切な消去時間を決定することができる。
【００５７】
実施の形態８．
実施の形態８は、ショートカットキー毎に重要度を算出し、ショートカットキーの重要度に応じた表示順で表示するようにしたものである。
図２７はこの発明の実施の形態８によるショートカットキー再配置手段３を示す構成図である。情報機器の発明の主要部全体の構成は図２に示す通りであり、実施の形態１とはショートカットキー再配置手段３の内部構成のみ異なる。
図において、ショートカットキー再配置手段３は、機能変換手段４、変換データベースメモリ５、機能重要度算出手段１７、操作履歴データベースメモリ９、ショートカットキー表示順決定手段１８、表示順データベースメモリ１９、表示手段６ａ、キー変換データベースメモリ７からなる。
機能変換手段４、変換データベースメモリ５、キー変換データベースメモリ７は実施の形態１と同じものであるので説明を省く。また、操作履歴データベースメモリ９は実施の形態２と同じものである。
機能重要度算出手段１７は、操作履歴データベースメモリ９を参照し、機能名称を入力し、以下の式（７）のように、選択回数ＣＣから重要度を算出し、出力する。
【００５８】
【数７】
2012160843.tif 000009
【００５９】
ショートカットキー表示順決定手段１８は、機能重要度算出手段１７から機能名称及び重要度を入力し、表示順データベースメモリ１９を参照して機能名称及び表示順を出力する手段である。
表示順データベースメモリ１９は、図２９に示すように機能名称と消去時間から表示機能名称を決定するための機能名称・機能重要度・表示順の対応を記述したデータベースを記憶するメモリである。すなわち、表示順データベースメモリ１９は、変換情報を複数記憶するテーブル構造に構築されている。
表示手段６ａは、ショートカットキー表示順決定手段１８からの機能名称及び表示順を入力とし、キー変換データベース７を参照し、機能名称に対応するショートカットキーである再配置ショートカットキーを表示順に出力する手段である。既に表示順に相当する箇所にショートカットキーが配置されている場合は、表示しているショートカットキーの表示順をひとつづつ繰り下げて、新規に出力されるショートカットキーを挿入・表示する。
【００６０】
次に動作について説明する。
図２８は、実施の形態８の情報機器の動作を示すフローチャートである。
図中のステップＳＴ１０１〜ＳＴ１０３の処理は、実施の形態１におけるＳＴ１０１〜ＳＴ１０３の処理と同様の内容であり、説明を省略する。
機能重要度算出手段１７は、操作履歴データベースメモリ９を参照し、機能変換手段４の出力である機能名称を入力し、選択回数ＣＣから式（７）を用いて重要度を算出し、出力する（ステップＳＴ８０１）。
【００６１】
実施の形態８の機能重要度算出手段１７で消去時間を算出する際に用いる操作履歴データベース９は、上述のように実施の形態２で用いる操作履歴データベース９と同じ図１０に示すとおりである。以下、図１０に基づいて機能重要度算出手段１７の動作を詳細に説明する。
図１０において、例えば、機能重要度算出手段１７に入力される機能名称が「コンビニを検索」だった場合、選択回数ＣＣは１５回であり、初期重要度ＩＰ０は１、人間の判断可能な時間表示されるように調整するパラメータである表示時間正規化パラメータＨＰは１とすると、上記式（７）より、重要度ＩＰｎが１５で出力される。
ショートカットキー表示順決定手段１８は、機能重要度算出手段１７の出力である機能名称及び重要度ＩＰｎ＝１５を入力とし、表示順データベースメモリ１９を参照し、重要度に応じた表示順を決定し、機能名称及び表示順を出力する（ステップＳＴ８０２）。
【００６２】
図２９は、ショートカットキー表示順決定手段１８で表示機能名称を決定する際に用いる表示順データベースメモリ１９の内容例の説明図である。以下、図２９に基づいてショートカットキー表示順決定手段１８の動作を詳細に説明する。
図２９において、例えば、ショートカットキー表示順決定手段１８に入力される機能名称が「コンビニを検索」で消去時間が３ｓｅｃの場合、表示順データベースメモリ１９を参照し、「コンビニを検索」の重要度が「ファミレスを検索」の重要度よりも高い（１５＞１０）ので、「コンビニを検索」の表示順を１として、「ファミレスを検索」の表示順を２に変更し、表示順データベースメモリ１９を更新する。「コンビニを検索」及び表示順１を出力する。
表示手段６ａは、ショートカットキー表示順決定手段１８の出力である機能名称及び表示順を入力とし、表示順にそってショートカットキーを出力・表示する（ステップＳＴ８０３）。
表示例を図３０に示す。図３０において、（Ａ）はショートカットキーの再配置前の表示画面、（Ｂ）はショートカットキーの再配置後の表示画面、（Ｃ）はショートカットキーの表示順序変更後の表示画面である。
【００６３】
実施の形態８によれば、機能重要度算出手段１７及びショートカットキー表示順決定手段１８及び表示順データベースメモリ１９及び表示手段６ａを設けることで、選択回数ＣＣを基に算出された重要度に応じた表示順でショートカットキーがユーザに提示され、ユーザは表示された順番にショートカットキーを確認すれば所望のショートカットキーを選択しやすくなるという効果がある。
【００６４】
なお、上記実施の形態ではショートカットキーの表示画面への表示順序を決定し、表示する構成と動作について説明したが、本実施の形態におけるショートカットキーの表示画面への表示順序を決定するための手段である操作履歴データベースメモリ９、機能重要度算出手段１７、ショートカットキー表示順決定手段１８及び表示順データベースメモリ１９の構成をそれぞれ実施の形態２〜７に追加し、ショートカットキーの表示画面への表示順序を決定・表示し、この表示順序で表示されたショートカットキーを消去する消去時間を算出し、その算出された消去時間に従って消去する構成にしても良い。このような構成によれば、各実施の形態２〜７の効果に加え、本実施の形態の効果をも併せ持つことができる。
なお、表示手段６は実施の形態２〜７の機能に加え、表示順にそってショートカットキーを出力・表示する機能が加わる。また、実施の形態２においては、操作履歴データベースメモリ９は１つで兼用できる。
【００６５】
実施の形態９．
実施の形態９は、ショートカットキー毎に重要度を算出し、ショートカットキーの重要度に応じた表示方法で表示するようにしたものである。
図３１はこの発明の実施の形態９によるショートカットキー再配置手段３を示す構成図である。情報機器の発明の主要部全体の構成は図２に示す通りであり、実施の形態１とはショートカットキー再配置手段３の内部構成のみ異なる。
図において、ショートカットキー再配置手段３は、機能変換手段４、変換データベースメモリ５、機能重要度算出手段１７、操作履歴データベースメモリ９、ショートカットキー表示方法決定手段２０、表示方法データベースメモリ２１、表示手段６ｂ、キー変換データベースメモリ７からなる。
機能変換手段４、変換データベースメモリ５、キー変換データベースメモリ７は実施の形態１と同じものであるので説明を省く。機能重要度算出手段１７は実施の形態８と同じものであるので説明を省く。
【００６６】
ショートカットキー表示方法決定手段２０は、機能重要度算出手段１７から機能名称及び重要度を入力し、表示方法データベースメモリ２１を参照して機能名称及び表示方法を出力する手段である。
表示方法データベースメモリ２１は、図３３に示すように、機能重要度と表示方法（この実施の形態では表示方法は表示音、表示サイズ、表示効果としている）を記述したデータベースを記憶するメモリである。すなわち、表示方法データベースメモリ２１は、変換情報を複数記憶するテーブル構造に構築されている。
表示手段６ｂは、機能重要度及び表示方法を入力とし、キー変換データベース７を参照し、機能名称に対応するショートカットキーである再配置ショートカットキーを表示方法に応じて出力する手段である。既に相当する箇所にショートカットキーが配置されている場合は、表示しているショートカットキーの表示方法を、新規に出力されるショートカットキーを表示方法に更新して表示する。
【００６７】
次に動作について説明する。
図３２は、実施の形態９の情報機器の動作を示すフローチャートである。
図中のステップＳＴ１０１〜ＳＴ１０３の処理は、実施の形態１におけるＳＴ１０１〜ＳＴ１０３の処理と同様の内容であることを示しており、説明を省略する。
機能重要度算出手段１７は、機能変換手段４の出力である機能名称を入力とし、上述のように操作履歴データベースメモリ９を参照し、選択回数ＣＣから上記式（７）を用いて重要度を算出、出力する（ステップＳＴ９０１）。
ショートカットキー表示方法決定手段２０は、機能重要度算出手段１７の出力である機能名称及び重要度を入力とし、表示方法データベースメモリ２１を参照し、重要度に応じた表示方法を決定し、機能名称及び表示方法データベースメモリ２１に記憶された表示方法を出力する（ステップＳＴ９０２）。
【００６８】
図３３は、ショートカットキー表示方法決定手段２０で表示機能名称を決定する際に用いる表示方法データベースメモリ２１である。以下、図３３に基づいてショートカットキー表示方法決定手段２０の動作を詳細に説明する。
図３３において、例えば、ショートカットキー表示方法決定手段２０に入力される機能名称が「コンビニを検索」で重要度が１５の場合、表示方法データベースメモリ２１を参照し、「コンビニを検索」の重要度が１５なので、表示する際の音（表示音）としてａ．ｗａｖを設定、表示サイズは４８×４８ピクセル、表示効果としてチェッカーワイプ表示を設定する。これらをまとめて表示方法として出力する。
表示手段６ｂは、ショートカットキー表示方法決定手段２０の出力である機能重要度及び表示方法を入力とし、キー変換データベース７を参照し、表示方法にそってショートカットキーを出力・表示する（ステップＳＴ９０３）。
表示例を図３４に示す。図３４において、（Ａ）はショートカットキーの再配置前の表示画面、（Ｂ）はショートカットキーの再配置後の表示画面、（Ｃ）はショートカットキーの表示方法変更後の表示画面であり、コンビニのアイコンが太字でかつ四角の太枠で強調されている。
【００６９】
実施の形態９によれば、ショートカットキー表示方法決定手段２０及び表示方法データベースメモリ２１及び表示順データベースメモリ１９及び表示手段６ｂを設けることで、選択回数を基に算出された重要度に応じた表示方法でショートカットキーがユーザに提示され、ユーザは強調表示された順にショートカットキーを確認すれば所望のショートカットキーを選択しやすくなるという効果がある。
【００７０】
なお、上記実施の形態ではショートカットキーの表示画面への表示方法を決定し、表示する構成と動作について説明したが、本実施の形態のショートカットキーの表示画面への表示方法を決定するための手段である操作履歴データベースメモリ９、機能重要度算出手段１７、ショートカットキー表示方法決定手段２０、表示方法データベースメモリ２１の構成をそれぞれ実施の形態２〜７に追加し、ショートカットキーの表示画面への表示方法を決定・表示し、この決定された表示方法で表示されたショートカットキーを消去する消去時間を算出し、その算出された消去時間に従って消去する構成にしても良い。このような構成によれば、各実施の形態２〜７の効果に加え、本実施の形態の効果をも併せ持つことができる。
なお、表示手段６は実施の形態２〜７の機能に加え、表示方法にそってショートカットキーを出力・表示する機能が加わる。また、実施の形態２においては、操作履歴データベースメモリ９は１つで兼用できることは言うまでもない。
【００７１】
実施の形態１０．
実施の形態１０は、ショートカットキー毎に重要度を算出し、ショートカットキーの重要度に応じた表示順でかつ指定された表示方法で表示するようにしたものである。
図３５はこの発明の実施の形態１０によるショートカットキー再配置手段３を示す構成図である。情報機器の発明の主要部全体の構成は図２に示す通りであり、実施の形態１とはショートカットキー再配置手段３の内部構成のみ異なる。
図において、ショートカットキー再配置手段３は、機能変換手段４、変換データベースメモリ５、機能重要度算出手段１７、操作履歴データベースメモリ９、ショートカットキー表示順及び表示方法決定手段２２、表示順データベースメモリ１９、表示方法データベースメモリ２１、表示手段６ｃ、キー変換データベースメモリ７からなる。
機能変換手段４、変換データベースメモリ５、キー変換データベースメモリ７は実施の形態１と同じものであるので説明を省く。機能重要度算出手段１７、表示順データベースメモリ１９は実施の形態８と同じものであるので説明を省く。また、表示方法データベースメモリ２１は実施の形態９と同じものであるので説明を省く。
【００７２】
ショートカットキー表示順及び表示方法決定手段２２は、機能重要度算出手段１７から機能名称及び重要度を入力し、表示順データベースメモリ１９と表示方法データベースメモリ２１を参照し、機能名称、表示順及び表示方法を出力する手段である。
表示手段６ｃは、ショートカットキー表示順及び表示方法決定手段２２から機能名称、表示順及び表示方法を入力とし、キー変換データベース７を参照し、機能名称に対応するショートカットキーである再配置ショートカットキーを表示順に指定された表示方法で出力する手段である。既に表示順に相当する箇所にショートカットキーが配置されている場合は、表示しているショートカットキーの表示順をひとつずつ繰り下げて、新規に出力されるショートカットキーを指定された表示方法で挿入・表示する。
【００７３】
次に動作について説明する。
図３６は、実施の形態１０の情報機器の動作を示すフローチャートである。
図中のステップＳＴ１０１〜ＳＴ１０３の処理は、実施の形態１におけるＳＴ１０１〜ＳＴ１０３の処理と同様の内容であることを示し、説明を省略する。
機能重要度算出手段１７は、実施の形態８と同様に操作履歴データベースメモリ９を参照し、機能変換手段４の出力である機能名称を入力し、選択回数ＣＣから上記式（７）を用いて重要度を算出し、出力する（ステップＳＴ８０１）。
ショートカットキー表示順及び表示方法決定手段２２は、機能重要度算出手段１７の出力である機能名称及び重要度を入力とし、表示順データベースメモリ１９及び表示方法データベースメモリ２１を参照し、重要度に応じた表示順及び表示方法を決定し、機能名称及び表示順及び表示方法を出力する（ステップＳＴ１００２）。
【００７４】
ショートカットキー表示順及び表示方法決定手段２２で機能名称毎の表示順及び表示方法を決定する際に用いる表示順データベースメモリ１９、表示方法データベースメモリ２１はそれぞれ、図２９に示される実施の形態８における表示順データベースメモリ１９、図３３に示される実施の形態９における表示方法データベースメモリ２１と同様である。
以下、図２９、図３３に基づいてショートカットキー表示順及び表示方法決定手段２２の動作を詳細に説明する。
図２９、図３３において、例えば、ショートカットキー表示順及び表示方法決定手段２２に入力される機能名称が「コンビニを検索」で消去時間が３ｓｅｃの場合、表示順データベースメモリ１９を参照し、「コンビニを検索」の重要度が「ファミレスを検索」の重要度よりも高い（１５＞１０）ので、「コンビニを検索」の表示順を１として、「ファミレスを検索」の表示順を２に変更し、表示順データベースメモリ１９を更新する。「コンビニを検索」及び表示順１を出力する。また、ショートカットキー表示順及び表示方法決定手段２２は重要度が１５の場合、表示方法データベースメモリ２１を参照し、「コンビニを検索」の重要度が１５なので、表示する際の音（表示音）としてａ．ｗａｖを設定、表示サイズは４８×４８ピクセル、表示効果としてチェッカーワイプ表示を設定する。これらをまとめて表示方法として表示順と共に出力する。
【００７５】
表示手段６ｃは、ショートカットキー表示順及び表示方法決定手段２２の出力である機能名称及び表示順及び表示方法を入力とし、表示順及び表示方法にそってショートカットキーを出力・表示する（ステップＳＴ１００３）。
表示例を図３７に示す。図３７において、（Ａ）はショートカットキーの再配置前の表示画面、（Ｂ）はショートカットキーの再配置後の表示画面、（Ｃ）はショートカットキーの表示順及び表示方法変更後の表示画面である。
【００７６】
実施の形態１０によれば、ショートカットキー表示順及び表示方法決定手段２２及び表示手段６ｃを設けることで、選択回数を基に算出された重要度に応じた表示順及び表示方法でショートカットキーがユーザに提示され、ユーザは提示された表示順や例えば強調表示方法により表示されたショートカットキーを確認すれば所望のショートカットキーを選択しやすくなるという効果がある。
【００７７】
なお、上記実施の形態ではショートカットキーの表示画面への表示順序と表示方法を決定し、表示する構成と動作について説明したが、本実施の形態におけるショートカットキーの表示画面への表示順序と表示方法を決定するための手段であるの操作履歴データベースメモリ９、機能重要度算出手段１７、ショートカットキー表示順及び表示方法決定手段２２、表示方法データベースメモリ２１の構成をそれぞれ実施の形態２〜７に追加し、ショートカットキーの表示画面への表示順序と表示方法を決定・表示し、この表示されたショートカットキーを消去する消去時間を算出し、その算出された消去時間に従って消去する構成にしても良い。このような構成によれば、各実施の形態２〜７の効果に加え、本実施の形態の効果をも併せ持つことができる。
なお、表示手段６は実施の形態２〜７の機能に加え、表示順序と表示方法にそってショートカットキーを出力・表示する機能が加わる。また、実施の形態２においては、操作履歴データベースメモリ９は１つで兼用できることは言うまでもない。
【００７８】
実施の形態１１．
実施の形態１１は、ショートカットキー毎の表示順をショートカットキーの現在の表示順を参照し算出し、ショートカットキーの表示順が表示範囲以内のものは表示し、表示範囲以外のものはショートカットキー表示しないようにしたものである。なお、表示順が表示範囲以外のものはデータベースから削除してもよい。
図３８はこの発明の実施の形態１１によるショートカットキー再配置手段３を示す構成図である。情報機器の発明の主要部全体の構成は図２に示す通りであり、実施の形態１とはショートカットキー再配置手段３の内部構成のみ異なる。
図において、ショートカットキー再配置手段３は、機能変換手段４、変換データベースメモリ５、ショートカットキー消去判定手段２３、表示キーデータベースメモリ２４、表示手段６ｄ、キー変換データベースメモリ７からなる。
機能変換手段４、変換データベースメモリ５、キー変換データベースメモリ７は実施の形態１と同じものであるので説明を省く。
【００７９】
ショートカットキー消去判定手段２３は、表示キーデータベースメモリ２４を参照し、機能変換手段４の出力である機能名称を入力し、以下の式（８）のように、更新前の表示順から表示順を算出し、出力する。
【００８０】
【数８】
2012160843.tif 000010
【００８１】
表示キーデータベースメモリ２４は、図４０に示すように機能名称から表示順を決定するための機能名称・表示順・表示限界数の対応を記述したデータベースを記憶するメモリである。すなわち、表示キーデータベースメモリ２４は、変換情報を複数記憶するテーブル構造に構築されている。なお、表示限界数は、表示範囲の上限を表す。また、表示範囲の下限は、特に記載しない場合は、表示順が１未満のものとする。
【００８２】
次に動作について説明する。
図３９は、実施の形態１１の情報機器の動作を示すフローチャートである。
図中のステップＳＴ１０１〜ＳＴ１０２の処理は、実施の形態１におけるＳＴ１０１〜ＳＴ１０２の処理と同様の内容であることを示しており、説明を省略する。
ショートカットキー消去判定手段２３は、機能変換手段４の出力である機能名称を入力とし、表示キーデータベースメモリ２４を参照し、表示順を算出、出力する（ステップＳＴ１１０１）。
【００８３】
図４０は、実施の形態１１のショートカットキー消去判定手段２３で表示順を算出する際に用いる表示キーデータベースである。以下、図４０に基づいてショートカットキー消去判定手段２３の動作を詳細に説明する。
図４０において、例えば、ショートカットキー消去判定手段２３に入力される機能名称が「ガソリンスタンドを検索」で、機能名称「ファーストフードを検索」「ファミレスを検索」「コンビニを検索」のそれぞれに更新前の表示順として１、２、３が割り振られているとする。まず、機能名称「ガソリンスタンドを検索」が表示キーデータベースメモリに表示順を１にして追加する。次に、式（８）より、機能名称「ファーストフードを検索」「ファミレスを検索」「コンビニを検索」のそれぞれに新たに表示順２、３、４が割り振られ、表示限界数３より大きい表示順４の「コンビニを検索」を除く機能名称「ガソリンスタンドを検索」「ファーストフードを検索」「ファミレスを検索」と表示順を出力する。
【００８４】
表示手段６ｄは、ショートカットキー消去判定手段２３の出力である機能名称及び表示順を入力とし、キー変換データベース７を参照し、機能名称に対応するショートカットキーである再配置ショートカットキーを表示順に出力する手段である。既に表示順に相当する箇所にショートカットキーが配置されている場合は、表示しているショートカットキーの表示順をひとつずつ繰り下げて、新規に出力されるショートカットキーを挿入・表示する（ステップＳＴ１１０２）。
表示例を図４１に示す。なお、例では表示画面右上から表示順に従って表示した場合を示したが、消去しないショートカットキーの表示位置はそのままにして、消去するショートカットキーと新しいショートカットキーを入れ替えて表示するだけにしてもよい。さらに、３次元センサ等でユーザの接近を感知した場合のみ、ショートカットキーを動かさないなどしてもよい。また、次に消去する、表示順が表示限界数と等しい機能名称がどの機能名称かをショートカットキーの色を薄くする、表示サイズを小さくするなどして視覚的にユーザに知らせてもよい。
【００８５】
実施の形態１１によれば、ショートカットキー消去判定手段２３、表示キーデータベースメモリ２４、及び表示手段６ｄを設けることで、ショートカットキー毎の表示順をショートカットキーの現在の表示順を参照し算出し、ショートカットキーの表示順が表示上限以内のものは表示し、表示上限よりも大きいものはショートカットキー表示しないようにでき、ユーザは表示された順にショートカットキーを確認すれば所望のショートカットキーを選択しやすくなるという効果がある。
【００８６】
実施の形態１２．
実施の形態１２は、ショートカットキー毎の表示順をショートカットキーの現在の表示順と関連情報及び関連情報の限界値を参照し算出し、算出した表示順でショートカットキーを表示するようにしたものである。
図４２はこの発明の実施の形態１２によるショートカットキー再配置手段３を示す構成図である。情報機器の発明の主要部全体の構成は図２に示す通りであり、実施の形態１とはショートカットキー再配置手段３の内部構成のみ異なる。
図において、ショートカットキー再配置手段３は、機能変換手段４、変換データベースメモリ５、ショートカットキー消去判定手段２５、表示キー関連情報データベースメモリ２６、表示手段６ｄ、キー変換データベースメモリ７からなる。
機能変換手段４、変換データベースメモリ５、キー変換データベースメモリ７は実施の形態１と同じものであるので説明を省く。また、表示手段６ｄは実施の形態１１と同じものであるので説明を省く。
【００８７】
ショートカットキー消去判定手段２５は、表示キー関連情報データベースメモリ２６を参照し、機能変換手段４の出力である機能名称を入力し、機能名称及び表示順を出力する手段である。
表示キー関連情報データベースメモリ２６は、機能名称・表示順・関連情報・関連情報の限界値の対応を記述したデータベースを記憶するメモリである。すなわち、表示キー関連情報データベースメモリ２６は、変換情報を複数記憶するテーブル構造に構築されている。
【００８８】
次に動作について説明する。
図４３は、実施の形態１２の情報機器の動作を示すフローチャートである。
図中のステップＳＴ１０１〜ＳＴ１０２の処理は、実施の形態１におけるＳＴ１０１〜ＳＴ１０２の処理と同様の内容であることを示しており、また、ＳＴ１１０２の処理は、実施の形態１１におけるＳＴ１１０２の処理と同様の内容であることを示しており、説明を省略する。
ショートカットキー消去判定手段２５は、機能変換手段４の出力である機能名称を入力とし、表示キー関連情報データベースメモリ２６を参照し、表示順を算出、出力する（ステップＳＴ１２０１）。
【００８９】
図４４は、実施の形態１２のショートカットキー消去判定手段２５で出力する機能名称・表示順を決定する際に用いる表示キー関連情報データベースである。以下、図４４に基づいてショートカットキー消去判定手段２５の動作を詳細に説明する。
図４４において、例えば、ショートカットキー消去判定手段２５に入力される機能名称が「コンビニを検索」の場合、表示キー関連情報データベースメモリ２６を参照し、「コンビニを検索」に対応する関連情報が「最寄のコンビニまで１５ｋｍ」で関連情報の限界値が「１０ｋｍ」の場合、表示キー関連情報データベースメモリ２６に記憶されている関連情報が関連情報の限界値以内の機能名称である「ファミレスを検索」のみ機能名称として、表示順とともに出力する。
なお、例では関連情報として、目的の周辺施設までの距離を記載したが、進路上にあるかどうか・営業時間かどうかなどの情報を用いてもいい。
なお、例では、「コンビニを検索」等の機能で説明したが、あらゆる機能において実施の形態１２は実施可能である。また、関連情報と関連情報の限界値から、出力対象外とした機能名称に関して、類似する代替案があれば、これを出力してもよい。
【００９０】
実施の形態１２によれば、ショートカットキー消去判定手段２５、表示キー関連情報データベースメモリ２６、及び表示手段６ｄを設けることで、ショートカットキー毎の表示順をショートカットキーの現在の表示順と関連情報及び関連除法の限界値を参照し算出し、算出した表示順でショートカットキーを表示し、限界値を超えるものはショートカットキー表示しないようにでき、ユーザは表示された順にショートカットキーを確認すれば所望のショートカットキーを選択しやすくなるという効果がある。
【００９１】
実施の形態１３．
実施の形態１３は、ショートカットキー毎の表示順をショートカットキーの現在の表示順と比較機能名称及び階層情報を参照し算出し、算出した表示順でショートカットキーを表示するようにしたものである。
図４５はこの発明の実施の形態１３によるショートカットキー再配置手段３を示す構成図である。情報機器の発明の主要部全体の構成は図２に示す通りであり、実施の形態１とはショートカットキー再配置手段３の内部構成のみ異なる。
図において、ショートカットキー再配置手段３は、機能変換手段４、変換データベースメモリ５、ショートカットキー消去判定手段２７、機能階層データベースメモリ２８、表示手段６ｄ、キー変換データベースメモリ７からなる。機能変換手段４、変換データベースメモリ５、キー変換データベースメモリ７は実施の形態１と同じものであるので説明を省く。また、表示手段６ｄは実施の形態１１と同じものであるので説明を省く。
【００９２】
ショートカットキー消去判定手段２７は、機能階層データベースメモリ２８を参照し、機能変換手段４の出力である機能名称を入力し、機能名称及び表示順を出力する手段である。
機能階層データベースメモリ２８は、機能名称・表示順・比較機能名称・階層情報の対応を記述したデータベースを記憶するメモリである。すなわち、機能階層データベースメモリ２８は、変換情報を複数記憶するテーブル構造に構築されている。
【００９３】
次に動作について説明する。
図４６は、実施の形態１３の情報機器の動作を示すフローチャートである。
図中のステップＳＴ１０１〜ＳＴ１０２の処理は、実施の形態１におけるＳＴ１０１〜ＳＴ１０２の処理と同様の内容であることを示しており、また、ＳＴ１１０２の処理は、実施の形態１１におけるＳＴ１１０２の処理と同様の内容であることを示しており、説明を省略する。
ショートカットキー消去判定手段２７は、機能変換手段４の出力である機能名称を入力とし、機能階層データベースメモリ２８を参照し、表示順を算出、出力する（ステップＳＴ１３０１）。
【００９４】
図４７は、ショートカットキー消去判定手段２７で出力する機能名称・表示順を決定する際に用いる機能階層データベースである。以下、図４７に基づいてショートカットキー消去判定手段２７の動作を詳細に説明する。
まず、図４７の説明をする。機能名称と表示順に関しては実施の形態１２と同じであるので、説明を省く。比較機能名称に対して、機能名称が「上位」か「下位」かを階層情報に記載している。階層情報は、例えば、「コンビニを検索」という機能が「ローソンを検索」という機能を含んでいるため、「コンビニを検索」は「ローソンを検索」と比較して「上位」というように決定する。
図４７において、例えば、ショートカットキー消去判定手段２７に入力される機能名称が「コンビニを検索」の場合、機能階層データベースメモリ２８を参照し、「コンビニを検索」に対応する比較機能情報が「ローソンを検索」で階層情報が「上位」の場合、「コンビニを検索」の表示順を「ローソンを検索」よりも上にする。例では、「コンビニを検索」の表示順が３、「ローソンを検索」の表示順は１なので、階層情報が「上位」の「コンビニを検索」と「ローソンを検索」の表示順を交換し、「コンビニを検索」の表示順を１、「ローソンを検索」の表示順を３にする。なお、「上位」の機能名称の表示順が「下位」の機能名称の表示順よりも上に更新すればいい。例えば、「上位」の機能名称である「コンビニを検索」の表示順３に＋１とした表示順４を「下位」の機能名称である「ローソンを検索」の表示順にするなどしてもよい。また、「上位」の機能名称のみ表示してもよい。
また、階層情報が「上位」の機能名称と「下位」の機能名称の表示順の優劣を、ユーザの操作履歴から求めた「上位」と「下位」両方のショートカットキーが表示されている場合にどちらを選択するかの傾向から決定してもよい。
【００９５】
実施の形態１３によれば、ショートカットキー消去判定手段２７、機能階層データベースメモリ２８、及び表示手段６ｄを設けることで、ショートカットキー毎の表示順をショートカットキーの現在の表示順と比較機能名称及び階層情報を参照し算出し、算出した表示順でショートカットキーを表示し、階層に応じた順序でショートカットキーを表示でき、ユーザは表示された順にショートカットキーを確認すれば所望のショートカットキーを選択しやすくなるという効果がある。
【産業上の利用可能性】
【００９６】
この発明の情報機器は、画面操作と音声操作とが可能なマルチモーダル情報機器に適用され可能性があり、特に画面操作と音声操作を有するカーナビに適用されるとその効果を発揮する。
【図１】
2012160843.tif 000011
【図２】
2012160843.tif 000012
【図３】
2012160843.tif 000013
【図４】
2012160843.tif 000014
【図５】
2012160843.tif 000015
【図６】
2012160843.tif 000016
【図７】
2012160843.tif 000017
【図８】
2012160843.tif 000018
【図９】
2012160843.tif 000019
【図１０】
2012160843.tif 000020
【図１１】
2012160843.tif 000021
【図１２】
2012160843.tif 000022
【図１３】
2012160843.tif 000023
【図１４】
2012160843.tif 000024
【図１５】
2012160843.tif 000025
【図１６】
2012160843.tif 000026
【図１７】
2012160843.tif 000027
【図１８】
2012160843.tif 000028
【図１９】
2012160843.tif 000029
【図２０】
2012160843.tif 000030
【図２１】
2012160843.tif 000031
【図２２】
2012160843.tif 000032
【図２３】
2012160843.tif 000033
【図２４】
2012160843.tif 000034
【図２５】
2012160843.tif 000035
【図２６】
2012160843.tif 000036
【図２７】
2012160843.tif 000037
【図２８】
2012160843.tif 000038
【図２９】
2012160843.tif 000039
【図３０】
2012160843.tif 000040
【図３１】
2012160843.tif 000041
【図３２】
2012160843.tif 000042
【図３３】
2012160843.tif 000043
【図３４】
2012160843.tif 000044
【図３５】
2012160843.tif 000045
【図３６】
2012160843.tif 000046
【図３７】
2012160843.tif 000047
【図３８】
2012160843.tif 000048
【図３９】
2012160843.tif 000049
【図４０】
2012160843.tif 000050
【図４１】
2012160843.tif 000051
【図４２】
2012160843.tif 000052
【図４３】
2012160843.tif 000053
【図４４】
2012160843.tif 000054
【図４５】
2012160843.tif 000055
【図４６】
2012160843.tif 000056
【図４７】
2012160843.tif 000057
【手続補正書】
【提出日】平成25年2月25日(2013.2.25)
【手続補正１】
【補正対象書類名】明細書
【補正対象項目名】０００９
【補正方法】変更
【補正の内容】
【０００９】
この発明に係る情報機器は、
当該機器を操作するためのショートカットキーを画面上に表示し、入力された音声の音声認識結果に従い画面上に表示されたショートカットキーの表示を再配置する情報機器であって、
音声を入力とし、認識辞書データベースメモリを参照し、認識結果としてのテキストを出力する音声認識処理手段と、
音声認識処理手段の認識結果であるテキストを入力し、当該機器の機能と認識結果としてのテキストとの対応関係が記載されている変換データベースメモリを参照し、認識結果のテキストを当該機器の機能にマッピングし、前記機能へのショートカットキーを表示画面に表示するショートカットキー再配置手段と
を備えた情報機器であって、
前記ショートカットキー再配置手段は、
画面上に表示されたショートカットキーを表示してから消去するまでの時間である消去時間を算出する消去時間決定手段と、
ショートカットキーの表示時間が前記消去時間を上回った場合に、表示手段により画面表示されているショートカットキーを消去するショートカットキー消去判定手段と
を有するものである。
【手続補正２】
【補正対象書類名】特許請求の範囲
【補正対象項目名】全文
【補正方法】変更
【補正の内容】
【特許請求の範囲】
【請求項１】
当該機器を操作するためのショートカットキーを画面上に表示し、入力された音声の音声認識結果に従い画面上に表示されたショートカットキーの表示を再配置する情報機器であって、
音声を入力とし、認識辞書データベースメモリを参照し、認識結果としてのテキストを出力する音声認識処理手段と、
音声認識処理手段の認識結果であるテキストを入力し、当該機器の機能と認識結果としてのテキストとの対応関係が記載されている変換データベースメモリを参照し、認識結果のテキストを当該機器の機能にマッピングし、前記機能へのショートカットキーを表示画面に表示するショートカットキー再配置手段と
を備えた情報機器であって、
前記ショートカットキー再配置手段は、
画面上に表示されたショートカットキーを表示してから消去するまでの時間である消去時間を算出する消去時間決定手段と、
ショートカットキーの表示時間が前記消去時間を上回った場合に、表示手段により画面表示されているショートカットキーを消去するショートカットキー消去判定手段と
を有する情報機器。
【請求項２】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴メモリと
をさらに有し、
前記消去時間決定手段は、前記消去時間を操作履歴メモリに記憶されているショートカットキー選択回数を基に算出する
請求項１記載の情報機器。
【請求項３】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー表示回数を含む当該機器のショートカットキーの表示履歴を記憶した表示履歴データベースメモリと
をさらに有し、
前記消去時間決定手段は、前記消去時間を表示履歴メモリに記憶されているショートカットキー表示回数を基に算出する
請求項１記載の情報機器。
【請求項４】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
音声認識処理手段の認識結果のテキストと認識結果尤度を記憶している認識結果データベースメモリと
をさらに有し、
前記消去時間決定手段は、前記消去時間を認識結果メモリに記憶している認識結果尤度を基に算出する
請求項１記載の情報機器。
【請求項５】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
音声認識処理手段の認識結果のテキスト認識回数を記憶している認識結果データベースメモリと
をさらに有し、
前記消去時間決定手段は、前記消去時間を認識結果メモリに記憶している認識回数を基に算出する
請求項１記載の情報機器。
【請求項６】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・消去時間・状況持続時間の対応を記述したデータベースを記憶する現状データベースメモリと
をさらに有し、
前記消去時間決定手段は、前記消去時間を現在時刻を基に現状データベースメモリを参照し、算出する
請求項１記載の情報機器。
【請求項７】
前記ショートカットキー再配置手段は
音声認識処理手段の認識結果の入力テキストを、変換データベースメモリを参照して、当該機器の機能にマッピングし、前記機能へのショートカットキーを表示画面に表示する表示手段と、
機能名称間の遷移可能性スコアを記述したデータベースを記憶する操作認識履歴データベースメモリと
をさらに有し、
前記消去時間決定手段は、前記消去時間を操作認識履歴データベースメモリに記憶している機能名称間の遷移可能性スコアを基に算出する
請求項１記載の情報機器。
【請求項８】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴データベースメモリと、
操作履歴データベースメモリに記憶している操作回数から機能の重要度を求める機能重要度算出手段と、
機能名称・機能重要度・表示順の対応を記述したデータベースを記憶する表示順データベースメモリと、
機能の重要度から、表示順データベースメモリを参照し、表示手段により画面に表示するショートカットキーの表示順を決定するショートカットキー表示順決定手段と
をさらに有する請求項１記載の情報機器。
【請求項９】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴データベースメモリと、
操作履歴データベースメモリに記憶している選択回数から機能の重要度を求める機能重要度算出手段と、
機能重要度と表示方法を記述した表示方法データベースを記憶する表示方法データベースメモリと、
機能の重要度から、表示方法データベースメモリを参照し、表示手段により画面に表示するショートカットキーの表示方法を決定するショートカットキー表示方法決定手段と
をさらに有する請求項１記載の情報機器。
【請求項１０】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
ショートカットキー選択回数を含む当該機器の操作履歴を記憶した操作履歴データベースメモリと、
操作履歴データベースメモリに記憶している選択回数から機能の重要度を求める機能重要度算出手段と、
機能重要度と表示方法を記述した表示方法データベースを記憶する表示方法データベースメモリと、
機能名称・機能重要度・表示順の対応を記述したデータベースを記憶する表示順データベースメモリと、
機能重要度算出手段が算出した機能の重要度から、表示順データベースメモリ及び表示方法データベースメモリを参照し、ショートカットキーを表示する順番であるショートカットキー表示順およびショートカットキーの表示方法を決定するショートカットキー表示順及び表示方法決定手段と
をさらに有する請求項１記載の情報機器。
【請求項１１】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・表示順・表示限界数の対応を記述したデータベースを記憶する表示キーデータベースメモリと
をさらに有し、
前記ショートカットキー消去判定手段は、表示キーデータベースメモリに記憶している機能名称と表示順に、新たに得た機能名称の追加・表示順の更新を行い、表示限界数に応じて表示手段により画面に表示するショートカットキーの表示順を決定する
請求項１記載の情報機器。
【請求項１２】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・表示順・関連情報・関連情報の限界値の対応を記述したデータベースを記憶する表示キー関連情報データベースメモリと
をさらに有し、
前記ショートカットキー消去判定手段は、表示キー関連情報データベースメモリに記憶している表示ショートカットキーに関連した情報を参照して機能名称の追加・表示順の更新を行い、関連情報の限界値に応じて表示手段により画面に表示するショートカットキーの表示順を決定する
請求項１記載の情報機器。
【請求項１３】
前記ショートカットキー再配置手段は、
音声認識処理手段の認識結果の入力テキストを、変換データベースメモリを参照して、当該機器の機能にマッピングし、前記機能へのショートカットキーを表示画面に表示する表示手段と、
機能名称・表示順・比較機能名称・階層情報の対応を記述したデータベースを記憶する機能階層データベースメモリと
をさらに有し、
前記ショートカットキー消去判定手段は、機能階層データベースメモリに記憶している機能名称間の階層情報を参照して機能名称の追加・表示順の更新を行い、表示手段により画面に表示するショートカットキーの表示順を決定する
請求項１記載の情報機器。
【国際調査報告】
2012160843.tif 000058
2012160843.tif 000059